(57)【要約】【課題】ライトボードを提供する。【解決手段】本発明の一実施形態によるライトボード１２は、可視光スペクトルの範囲内の光を制御できる複数の表示セル５８を含み、これらの表示セル５８は、ライトボード１２の表示面上に配列されている。ライトボード１２はまた、通常、それらの表示セル５８と結合された複数のメモリ・セル５６と、表示セル５８およびメモリ・セル５６とともに表示面上に配列された複数の第１のレシーバ５２とを含む。第１のレシーバ５２は、通常、送られた書込み情報を受け取って、その送られた書込み情報を、対応するメモリ・セル５６に伝えて格納する。したがって、対応する表示セル５８は、その送られた書込み情報により、選択的に活動化され得る。【選択図】　　　　図５
2004025859.tif 000002
【特許請求の範囲】
【請求項１】
可視光スペクトルの範囲内の光を制御できる、ライトボードの表示面上に配列された複数の表示セルと、
前記表示セルと結合された複数のメモリ・セルと、
前記表示セルおよび前記メモリ・セルとともに、前記表示面上に配列された複数の第１のレシーバであって、送られた書込み情報を受け取って、前記送られた書込み情報を、対応するメモリ・セルに伝達して格納するように構成された第１のレシーバと、
を備え、
このような伝達および格納により、前記送られた書込み情報にしたがって、対応する表示セルが、選択的に活動化される、ライトボード。
【請求項２】
前記表示セルおよび前記メモリ・セルとともに、前記表示面上に配列された複数の第２のレシーバをさらに有し、該第２のレシーバは、送られた消去情報を受け取って、そのような消去情報を、対応するメモリ・セルに伝達して格納するように構成され、このような伝達および格納により、前記送られた消去情報にしたがって、対応する活動化された表示セルが、選択的に非活動化される、請求項１記載のライトボード。
【請求項３】
前記複数のメモリ・セルが、前記複数のメモリ・セルに入っている情報を、通信ポートを通じて、前記ライトボードの外に伝えることができるように、前記通信ポートとさらに結合される、請求項１記載のライトボード。
【請求項４】
前記複数の表示セルが、前記対応するメモリ・セルに入っている情報にほぼ連続的に応答するように、前記対応するメモリ・セルと結合された発光形要素を備えている、請求項１記載のライトボード。
【請求項５】
前記複数のメモリ・セルが、データ・ラッチを備えている、請求項１記載のライトボード。
【請求項６】
それぞれの表示セルと結合された複数のメモリ・セルから選択するように構成された制御センサをさらに備えている、請求項１記載のライトボード。
【請求項７】
前記第１のレシーバにより受け取られた情報の動的表示を選択するように構成された制御センサをさらに備えている、請求項１記載のライトボード。
【請求項８】
第１のタイプの情報を表示面に送るステップと、
前記第１のタイプの情報を前記表示面で受け取るステップと、
前記第１のタイプの前記送られた情報を格納するステップと、
前記第１のタイプの前記送られた情報にしたがって、複数の表示セルの１つまたは複数の表示セルを第１の状態に選択的に保つステップと、
を含む、画像表示方法。
【請求項９】
表示情報を伝送ビームで送るように構成された通信用具と、可視光スペクトルの範囲内の光を制御できる表示セルを有する表示パネルと、を備え、
各表示セルには、メモリ・セルと、送られた表示情報を受け取るように構成されたレシーバとが関連付けられ、それにより、前記表示セルが、対応するレシーバで受け取られた表示情報にしたがって、活動化され、非活動化される、表示システム。
【請求項１０】
前記表示セル用に受け取られた表示情報が、対応するメモリ・セルにより格納されて、前記表示セルが、前記対応するレシーバにより格納された表示情報にしたがって、アクティブであるか、またはアクティブでない状態に保たれる、請求項９記載の表示システム。
【発明の詳細な説明】
【０００１】
【発明の属する技術分野】
本発明は、黒板、ホワイトボード、その他の表示面などのライトボードに関する。
【０００２】
【従来の技術】
黒板、ホワイトボード、および他の表示面（一まとめにして、「ライトボード」）は、学生または会議参加者などの一群の人々に情報を伝えるのに用いられることが多い。このようなライトボードは、通常、マーキング用具やイレーザとともに用いられる。黒板の場合には、マーキング用具はチョークであることもあり、またイレーザは複合繊維ブロックであることもある。ホワイトボードでは、マーキング用具は乾式消去マーカ（ｄｒｙ　ｅｒａｓｅ　ｍａｒｋｅｒ）であり、またイレーザは、ホワイトボード表面から乾式消去マーキングを除去するようにした発泡体または繊維ブロックである。
【０００３】
【発明が解決しようとする課題】
現在のライトボードには、いくつかの欠点がある。例えば、このようなライトボードに書かれた情報を保存するには、手作業によるコピーが必要であることもある。いくつかの実施形態において、ライトボード上に書き込まれた情報を、電子装置を用いてスキャンするか、または取り込むことができるが、上記のシステムは、その情報がライトボードから除去されてしまうと、後で、ライトボードを用いて表示できるようにはなっていない。さらに、このようなボード上へのマーキングは、教室内のすべての学生、または会議室の全参加者が見ることが困難である。したがって、上の説明に基づいて、代りのライトボードが望ましい。
【０００４】
【課題を解決するための手段】
本発明の一実施形態によるライトボードは、可視光スペクトルの範囲内の光を制御できる複数の表示セルを含み、これらの表示セルは、ライトボードの表示面上に配列されている。ライトボードはまた、通常、それらの表示セルと結合された複数のメモリ・セルと、表示セルおよびメモリ・セルとともに表示面上に配列された複数の第１のレシーバとを含む。第１のレシーバは、通常、送られた書込み情報を受け取って、その送られた書込み情報を、対応するメモリ・セルに伝えて格納する。したがって、対応する表示セルは、その送られた書込み情報により、選択的に活動化され得る。
【０００５】
【発明の実施の形態】
図１は、全体を１０で示した、本発明の一実施形態による電子ライトボード・システムを示している。システム１０は、ライトボード１２を含む。ライトボード１２は、区分化された状態で図示されており、以下で論じられるように、互いに協働して情報を表示することのできる構成要素の配置を示している。簡単に言えば、ライトボード１２は、表面上に配列された複数の表示セルを含むことができる。簡潔のために、本明細書中に論じられる本発明の実施形態と関連して、発光形表示セルを述べる。しかしながら、このような表示セルは、発光形、透過形であるか、あるいは、他の形式を取ることがあると理解され、本発明は、その範囲が、特定タイプの表示セルには限定されてない。ライトボード１２はまた、制御部１４も含むことができる。この制御部は、以下で、さらに詳しく論じる。
【０００６】
人１６は、書込み用具１８とともにシステム１０を使用して、書込み情報をライトボード１２に伝えて画像２０を生成することができる。以下で、さらに詳しく論じられるように、書込み用具１８は、書込み信号とも呼ばれる書込み情報を送る１つまたは複数の伝送源を含み、またライトボード１２は、受け取るためのレシーバ、および画像２０を保存するためのメモリ・セルを含む。このような構成により、書込み用具１８は、乾式消去マーカなどの伝統的な書込み用具とそっくりに使用することができる。
【０００７】
図２を参照すると、ライトボード１２の断片の一部が示され、その制御部１４がさらに詳しく示されている。制御部１４は、複数の制御センサ１〜５を含むことができる。制御センサ１〜５は、以下で論じられるように、機械的スイッチを含むか、あるいはレシーバを含む。制御センサ１〜５は、複数の表示「ページ」の中からの選択、書込み機能と投影機能のいずれかからの選択、あるいは、ライトボード１２の「消去」などの、ライトボード１２の様々な機能を起動するために使用される。表示ページは、ライトボード１２の表示セルと結合された一組の関連メモリ・セルと定義される。この点に関しては、以下で、さらに詳しく論じられるように、複数のメモリ・セルを表示セルと結合させて（マルチプレクサなどの選択回路を通じて）、複数の表示ページが実現できるようにしている。同様に、マルチプレクサなどの選択回路は、メモリ・セルを用いる書込み機能と、投影機能のいずれかから選択するために使用されて、受け取られた投影信号を動的に表示する。制御センサ１〜５を用いてライトボード１２を消去するステップは、ほぼすべての活動化された表示セルを同時に非活動化するステップ、実際は、以下でさらに詳しく論じられるように、共通の消去信号を通じて、ライトボード１２をクリア、すなわち消去するステップを含む。
【０００８】
図３を参照すると、消去用具２８とともに、書込み用具１８が、さらに詳しく示されている。書込み用具１８は、本体部分２２とトランスミッタ部分２４を含むことができる。トランスミッタ部分２４は、図３の矢印で示されるように、トランスミッタ部分２４を本体２２に押し込むことにより起動される感圧形スイッチ（図示されていない）を含む。前に示されたように、このことから、書込み用具１８は、伝統的な書込み用具（例えば、乾式消去マーカ）とそっくりに機能することができる。この点では、書込み用具１８がライトボード１２に接触し、それにより、感圧形スイッチを作動させ、トランスミッタ部分２４に含まれる伝送源を起動すると、書込み情報が伝えられ得る。トランスミッタ２４は、画像２０の表示のために、ライトボード１２上の所望の位置を正確に伝えるように、非常に狭い伝送空間領域を用いて（例えば、ビーム２５を用いて）、書込み情報を伝える。
【０００９】
書込み用具１８は、さらに、選択機構２６も含むことができる。この選択機構２６は、前に示されたように、トランスミッタ部分２４に含まれる様々な周波数、コマンド、または伝送源の中から選択するために用いられる。伝送源の中から選択することにより、制御センサ１〜５を用いて、書込み情報２０の表示、またはライトボード１２の制御を変えることができる。例えば、トランスミッタ部分２４に含まれる各伝送源は、表示色（例えば、赤、緑、または青）に対応するか、あるいは、ライトボード１２の制御部１４に含まれる制御センサ１〜５を起動するために用いられる。書込み用具１８に含まれる様々な伝送源に応答する様々なレシーバは、ライトボード１２に添えられるものと理解されよう。
【００１０】
消去用具２８は、本体部分３０とトランスミッタ部分３２を含むことができる。トランスミッタ部分３２は、ボタン３４で起動される。トランスミッタ部分３２は、起動されると、消去情報を、ライトボード１２に含まれる対応するレシーバに伝える。消去情報（消去信号とも呼ばれる）を受け取ると、以下でさらに詳しく論じられるように、活動化された表示セルが非活動化される。書込み用具１８のトランスミッタ２４と同様に、消去用具２８のトランスミッタ部分３２は、クリアすなわち消去されるライトボード１２上の所望の位置に消去信号を正確に伝えるように、非常に狭い伝送空間領域（例えば、伝送空間領域３３）を用いて、消去情報を伝える。
【００１１】
おわかりのように、書込み用具１８は、それ自体、消去用具として役立つこともある。これは、単一の伝送用具における異なる周波数、コマンド、または伝送源を、異なる書込み機能および消去機能に割り当てることで、達成される。同様に、異なる周波数、コマンド、または伝送源は、異なるプレゼンテーションカラーを表わすことができる（この場合、消去は、背景色における書込みの特殊な場合と見なされるものと理解される）。したがって、書込み用具１８と消去用具２８は、さらに一般的には、通信用具とも呼ばれる。
【００１２】
次に、図４を参照すると、ライトボード・システム１０が、さらに詳しく示されている。上で論じられるように、システム１０は、制御部１４を含むライトボード１２を含むことができる。ライトボード１２は、コネクテッド・メモリ・セル（ｃｏｎｎｅｃｔｅｄ　ｍｅｍｏｒｙ　ｃｅｌｌ）４２と結合される通信ポート４０をさらに含む。行・列アドレス指定（ｒｏｗ−ｃｏｌｕｍｎ　ａｄｄｒｅｓｓｉｎｇ）および／または直列走査連鎖（ｓｅｒｉａｌ　ｓｃａｎ　ｃｈａｉｎ）のように、メモリ・セル４２を接続する様々な手法が知られていることがわかり（図４に示されるように）、本発明の範囲は、特定の手法には限定されてない。通信ポート４０は、さらに、画像形成装置４４および記憶装置４６にも結合される。図４では、画像形成装置４４は、プリンタの形式を取り、また記憶装置４６は、ハードディスク、コンパクトディスク・ライタ、または他の大容量の不揮発性記憶装置を含むコンピュータの形式を取っている。パームトップ・コンピュータまたはハンドヘルド・コンピュータのような他のタイプの装置が、通信ポート４０と結合されることも理解されよう。
【００１３】
図４に示される構成により、画像２０に対応する情報を、画像形成装置４４および／または記憶装置４６に伝えることができる。コネクテッド・メモリ・セル４２に入っている情報を、通信ポート４０を通じて画像形成装置４４に伝えることで、画像２０が、印刷媒体の用紙上に印刷されるか、あるいは、遠隔地で表示される。コネクテッド・メモリ・セル４２に入っている情報を、通信ポート４０を通じて記憶装置４６に伝えることで、画像２０に対応するデータファイルを作成できる。さらに、画像２０に対応する、記憶装置４６に入っているデータファイルを、通信ポート４０を通じてコネクテッド・メモリ・セル４２に伝えることができる。したがって、画像２０は、ライトボード１２から記憶装置４６に伝えられ、次に、記憶装置４６からライトボード１２に伝えられて、後で表示され得る。
【００１４】
図５を参照すると、本発明の一実施形態による、いわゆるライトボード・ピクセルのブロック図は、その全体が５０に示されている。ピクセル５０は、表示レシーバ５２、消去レシーバ５４、メモリ・セル５６、マルチプレクサ（ＭＵＸ）５７、表示セル５８を含むことができる。表示レシーバ５２および消去レシーバ５４は、メモリ・セル５６と結合される。図示された実施形態では、表示レシーバは、さらにマルチプレクサ５７にも結合される。同様に、そのメモリ・セルは、マルチプレクサ５７と結合される。したがって、マルチプレクサ５７は、読み進むとわかるように、スタティック・メモリ・セルの出力とダイナミック表示レシーバの出力のいずれかから選択するために、グローバル・プロジェクタ信号５９に基づいて使用される。マルチプレクサ５７は、この選択されたマルチプレクサ出力を表示するため、表示セル５８と結合され得ることに留意されよう。
【００１５】
表示レシーバ５２は、書込み用具１８に含まれる伝送源の１つまたは複数から受け取られた信号に応答することができる。表示セル５８は、赤の発光成分を含み、また表示レシーバ５２は、画像２０の赤の部分（具体的には図示されてない）に対応する、書込み用具１８に含まれる伝送源に応答する。このような表示レシーバ５２はまた、動的な意味では、プロジェクタからの伝送に応答し、それに対応して、表示セルにより、投影画像を動的に表示する。他の色発光成分（例えば、緑、青、白など）を含む表示セル、および対応する伝送源に応答する表示レシーバも使用される。同様に、単一の表示レシーバは、受け取られた書込み信号（周波数、コマンドなど）に基づいて、異なる文字（または色）を書き込めるようにするために、異なる書込み信号に応答する。このような異なる書込み信号は、図５に、表示レシーバ５２で生成される異なるコマンド信号で示されている。したがって、ライトボード１２の表面上に、ピクセルの様々な色を配列することにより、画像２０を様々な色で表示することができる。
【００１６】
表示レシーバ５２と消去レシーバ５４は、同様なやり方で動作することができ、実際に、消去レシーバ５４の破線表現で明示されるように、単一のレシーバの形式を取ることができる。それゆえ、以下の論述は、双方のレシーバに当てはまるが、機能の違いには留意される。表示レシーバ５２と消去レシーバ５４は、様々な形式を取り、前に述べられたように、それぞれの伝送源に応答する。書込み情報（および、消去情報）のやり取りは、位置によって決まるために、ビームを伝送する伝送源が、前に示されたように、好ましい。様々なビーム・トランスミッタが使用可能であると理解されよう。しかしながら、簡潔のために、ピクセル５０の動作を、赤外線伝送源および赤外線レシーバに関して論じる。
【００１７】
図６を参照すると、ピクセル５０は、本発明の一実施形態により、図式的に示されている。表示レシーバ５２と消去レシーバ５４はそれぞれ、赤外線受光ダイオード（ＬＲＤ）６０と６２、および抵抗６４と６６を含むことができる。表示レシーバ５２のＬＲＤ６０は、書込み用具１８に含まれるトランスミッタ２４から受け取られた信号、通常、指定した書込み周波数範囲内の信号に応答する。赤外光周波数の異なるレンジを使用して、例えば画像２０の異なる表示色を示すことができる。同様に、消去レシーバ５４のＬＲＤ６２は、消去用具２８に含まれるトランスミッタ３２から受け取られた信号、通常、指定した消去周波数範囲内の信号に応答する。
【００１８】
ＬＲＤ６０が応答する周波数範囲内の赤外光を受け取ると、ＬＲＤ６０は電流を伝導することができる。このような電流伝導から、抵抗６４に電圧降下が発生する。次に、電圧が、メモリ・セル５６に印加される。図６では、メモリ・セル５６は、ゲーテッド・データラッチ（すなわち、ゲーテッド・ラッチ）として示されている。しかしながら、メモリ・セル５６は、他の多数のメモリ・セルのタイプの中から、クロス結合ＮＯＲゲート、フラッシュ・メモリ・セル、スタティック・ランダム・アクセス・メモリ（ＳＲＡＭ）セルなどの他の形式を取っても良いことが理解されよう。
【００１９】
このようにメモリ・セル５６に印加された電圧は、トランジスタ６８のゲートに印加され得る。次に、トランジスタ６８が、インバータ７０の入力端子を電気的に接地する。ピクセル５０では、トランジスタ６８とインバータ７０は、ゲーテッド・ラッチすなわちメモリ・セル５６の半分を形成している。トランジスタ７２とインバータ７４は、ゲーテッド・ラッチ（メモリ・セル５６）の他の半分を形成している。
【００２０】
インバータ７０の入力端子を接地することは、メモリ・セル５６をセットする、すなわち、「１」のデジタル値をラッチすると称することができる。表示レシーバ５２で受け取られた書込み信号に応答して、メモリ・セル５６にデジタル値「１」をラッチすることによって、画像２０の対応するピクセル５０（または、一部）は、書込み用具１８をライトボード１２の表面から取り去った後でも（もう、表示レシーバ５２には伝送しない）、ライトボード１２により、アクティブ状態に保たれる。これは、表示されている情報の連続投影を必要とする他の表示システムよりも優れている。
【００２１】
メモリ・セル５６がセットされると、マルチプレクサ５７を通じて、表示セル５８にデジタル値「１」が印加され得る。デジタル値「１」をトランジスタ７６のゲートに印加すると、発光ダイオード（ＬＥＤ）７８が起動される（電流が流れて、発光する）。抵抗８０とトランジスタ７６は、トランジスタ７６のゲートに印加される電圧の利得回路として、ＬＥＤ７８と協働する。さらに、抵抗８０は、表示セル５８内の電流伝導を調整し、これにより、非電流調整型の表示セルと比較して、ＬＥＤ７６の発光強度の変動が減少する。別法として、表示セル５８は、発光素子を含むのとは対照的に、フィルタを通した光（バックライトまたは反射光）を制御してもよい。
【００２２】
前に示されたように、消去レシーバ５４は、表示レシーバ５２と同様なやり方で動作することができる。それゆえ、詳細には、この動作を論じないで、ピクセル５０の動作に関連する差異だけに注目する。よって、ＬＲＤ６２は、消去用具２８からライトボード１２に伝えられる消去信号に応答することができる。このような消去信号により、ＬＲＤ６２は電流を伝導し、ＯＲゲート８４とトランジスタ７２を通じて、インバータ７４の入力端子を電気的に接地する。このような場合に、メモリ・セル５６は、クリアされる（デジタル値「０」をラッチする）と称することができる。メモリ・セル５６がデジタル値「０」を保持すると、マルチプレクサ５７を通じて、表示セル５８が電気的に接地される。デジタル値「０」を、トランジスタ７６のゲートに印加することにより、ＬＥＤ７８は非活動化される（電流伝導も発光もない）。おわかりのように、このような消去信号は、画像２０の対応するピクセル５０（または、一部）を、アクティブでない、すなわち消去された状態に保つように、メモリ・セル５６によってローカルに格納され得る。
【００２３】
前に示されたように、マルチプレクサ５７は、メモリ・セル５６からのラッチされた書込み／消去信号と、表示レシーバ５２からの動的投影信号のいずれかからの選択を受け入れるために、グローバル・プロジェクタ信号５９などの制御信号を受け取るように構成され得る。もちろん、書込み／消去信号は、事実上、表示レシーバ５２と消去レシーバ５４から発生するものと理解されよう。
【００２４】
グローバル消去信号８２も図６に示されている。グローバル消去信号８２（およびグローバル・プロジェクタ信号５９）は、ライトボード１２の制御部１４に含まれる制御センサ１〜５から発生することができる。さきに論じられたように、制御センサ１〜５は、機械的スイッチであるか、あるいは、表示レシーバ５２および消去レシーバ５４と同様なレシーバであることができる。グローバル消去信号８２は、２入力ＯＲゲート８４の１つの入力端子と結合される。ＯＲゲート８４の第２の入力端子は、消去レシーバ５４と結合される。このような場合に、個々のピクセル５０は、消去レシーバ５４を通じて、非活動化（消去）され得る。別法として、ライトボード１２のピクセル５０は、グローバル消去信号８２によって、同時に非活動化され得る。
【００２５】
図７は、全体を８５で示した、本発明の一実施形態による複数ページのライトボードの構成を示している。前に論じられたように、複数のメモリ・セル５６は、それぞれの表示セル５８と結合される。個々のメモリ・セル５６は、公知のマルチプレクサ回路（図示されてない）を用いて、選択できる。複数ページのライトボード８５は、「現在の」ページ８６や「記憶された」ページ８８と８８’のような２つ以上のページを含む。上に論じられたように、制御部１４に含まれる制御センサ１〜５を利用すれば、マルチプレクサ回路（図示されてない）を使って、複数ページのライトボード８５の表示セル５８で表示されるページを直接に選択できるか、あるいは、ページからページへ切り換えることができる。
【００２６】
図８は、全体を９０で示した、本発明の一実施形態による表示方法を例示した流れ図である。方法９０は、９２において、書込み情報を表示面に送るステップ、９４において、表示面で書込み情報を受け取るステップ、９６において、書込み情報を（例えば、メモリ・セルによって）ローカルに格納するステップ、および、９８において、書込み情報により、１つまたは複数の表示セルを活動化するステップを含むことができる。ブロック１００において、方法９０は、前に述べられたように、結果的に得られた画像（例えば、画像２０）に対応する情報を画像形成装置および／または記憶装置（例えば、行・列アドレス指定または走査連鎖）に伝えるステップをさらに含むことができる。方法９０はまた、１０２において、消去情報を表示面に送るステップ、１０４において、表示面で消去情報を受け取るステップ、１０６において、消去情報をローカルに格納するステップ、および、１０８において、消去情報により、１つまたは複数のアクティブな表示セルを非活動化するステップをさらに含むことができる。１１０において、方法９０はまた、共通信号に応答して、表示面のアクティブな表示セルを非活動化するステップを含むことができる。１１２において、方法９０は、前に述べられたように、ローカルに、それぞれの表示セルと結合された選択できる（例えば、多重化された）複数のメモリ・セルの形式を取る複数の表示選択物（ページ）の中から選択するステップをさらに含むことができる。この方法は、述べられたように、メモリに入っている書込み／消去信号と、投影信号のいずれかから選択する（例えば、マルチプレクサを通じて）ステップをさらに含むことができる。
【００２７】
本発明は、特に、上述の好ましい実施形態を参照して図示され、説明されてきたが、当業者であれば、以下の特許請求の範囲に定められるように、本発明の精神および範囲から逸脱することなく、本発明に多くの変更を実施できることが了解されよう。本発明の説明は、本明細書中に述べられる要素の新規で、かつ自明でない組合せをすべて含むものと理解すべきである。これらの要素の新規で、かつ自明でない任意の組合せに対して、特許請求の範囲は、本出願、またはその後の出願に提示することができる。上述の実施形態は例示であって、本出願またはその後の出願で請求されるかもしれないあらゆる可能な組合せに対しては、いかなる単一の特徴も要素も不可欠でない。これらの特許請求の範囲が、「１つの」または「第１の」要素、あるいは、その等価物を述べる場合には、そのような特許請求の範囲は、１つまたは複数のこのような要素の組み入れを含み、２つ以上のこのような要素を必要としないし、また除外もしないものと理解すべきである。
【図面の簡単な説明】
【図１】本発明によるライトボード・システムの平面図である。
【図２】図１に示されるライトボードの制御センサ部の一部のさらに詳細な図である。
【図３】本発明の一実施形態による書込み用具とイレーザの図である。
【図４】本発明の一実施形態によるライトボード・システムの他の平面図である。
【図５】本発明の一実施形態による、メモリ・セル、第１のレシーバ、第２のレシーバを含むライトボード・ピクセルのブロック図である。
【図６】本発明の一実施形態による、様々なブロックを図式的に示す図５のライトボード・ピクセルをさらに詳細に描いたものである。
【図７】本発明の一実施形態による複数ページのライトボード構成を図示したブロック図である。
【図８】本発明の一実施形態による表示方法を図示した流れ図である。
【符号の説明】
１２：ライトボード
５２：第１のレシーバ
５６：メモリ・セル
５８：表示セル
【図１】
2004025859.tif 000003
【図２】
2004025859.tif 000004
【図３】
2004025859.tif 000005
【図４】
2004025859.tif 000006
【図５】
2004025859.tif 000007
【図６】
2004025859.tif 000008
【図７】
2004025859.tif 000009
【図８】
2004025859.tif 000010